(57)【要約】【課題】捕捉体において非損傷部位を容易に特定し、捕捉体の非損傷部位に切断位置を罫書く。【解決手段】支柱と梁とを備え、河川の上流から流れてくる流水を通すとともに土石及び流木を捕捉する捕捉体の非損傷部位を特定する特定方法であって、捕捉体の所定部位の外周面に、閉鎖状態において非損傷部位の外周面の外周寸法よりも大きな内周寸法を有する治具５を所定部位を囲むように取り付け、治具５の端部５１ｄ，５２ｄ同士が接触して閉鎖状態を形成する所定部位を非損傷部位として特定する。【選択図】図４
2019019607.tif 000002
【特許請求の範囲】
【請求項１】
支柱と梁とを備え、河川の上流から流れてくる流水を通すとともに土石及び流木を捕捉する捕捉体の非損傷部位を特定する特定方法であって、
前記捕捉体の所定部位の外周面に、閉鎖状態において前記非損傷部位の外周面の外周寸法よりも大きな内周寸法を有する治具を前記所定部位を囲むように取り付け、
前記治具の端部同士が接触して前記閉鎖状態を形成する前記所定部位を前記非損傷部位として特定する
ことを特徴とする非損傷部位の特定方法。
【請求項２】
前記所定部位を前記支柱に設定することを特徴とする請求項１に記載の非損傷部位の特定方法。
【請求項３】
前記捕捉体は複数の前記支柱を備え、前記非損傷部位を複数の前記支柱に特定することを特徴とする請求項１又は２に記載の非損傷部位の特定方法。
【請求項４】
支柱と梁とを備え、河川の上流から流れてくる流水を通すとともに土石及び流木を捕捉する捕捉体の損傷部位の切断位置を前記捕捉体の非損傷部位に罫書く罫書き方法であって、
前記捕捉体の所定の基準位置から所定の間隔を置いた位置に前記切断位置を設定し、
前記捕捉体の前記基準位置に設置される部材に、前記基準位置と接触する該部材の接触部から前記間隔だけ離れた位置を特定し、
前記部材を前記基準位置に設置した状態において、前記部材に特定された前記位置に相当する前記捕捉体の位置に前記切断位置を罫書く
ことを特徴とする切断位置の罫書き方法。
【請求項５】
前記部材を互いに離間させて設置することを特徴とする請求項４に記載の切断位置の罫書き方法。
【請求項６】
支柱と梁とを備え、河川の上流から流れてくる流水を通すとともに土石及び流木を捕捉する捕捉体の非損傷部位の特定治具であって、
少なくとも一端部同士が接近及び離間自在であり、
前記非損傷部位において前記捕捉体を外周面に沿って囲む場合に前記少なくとも一端部同士が接触した閉鎖状態を形成する一方で、前記捕捉体の損傷部位において前記捕捉体を外周面に沿って囲む場合に前記少なくとも一端部同士が離間した非閉鎖状態を形成する内周寸法を有する
ことを特徴とする非損傷部位の特定治具。
【請求項７】
前記閉鎖状態において互いに対向する位置で立設された少なくとも２つの立設部材を備えることを特徴とする請求項６に記載の非損傷部位の特定治具。
【請求項８】
互いに異なる側から前記捕捉体を囲む複数の包囲部材を有し、
前記接近及び離間自在な端部以外の端部は、互いに相対的に旋回自在に連結されていることを特徴とする請求項６又は７に記載の非損傷部位の特定治具。
【請求項９】
互いに旋回自在に連結されている前記包囲部材の前記端部はそれぞれ、該包囲部材が前記捕捉体を囲んだ状態で同じ側を臨む面で連結部材により互いに連結されていることを特徴とする請求項８に記載の非損傷部位の特定治具。
【請求項１０】
互いに旋回自在に連結されている前記包囲部材の前記端部における少なくとも内周縁部側の角部は、Ｒ部を有していることを特徴とする請求項８又は９に記載の非損傷部位の特定治具。
【請求項１１】
支柱と梁とを備え、河川の上流から流れてくる流水を通すとともに土石及び流木を捕捉する捕捉体の損傷部位の切断位置を前記捕捉体に罫書く罫書き装置であって、
前記捕捉体の所定の基準位置から前記切断位置までの距離に相当する位置に印を有し、前記基準位置に設置されて前記印の位置に相当する前記捕捉体の位置に前記切断位置を位置決めする位置決め部材と、
前記印の位置で前記位置決め部材に交差して設けられて前記捕捉体に接触する長さ寸法を有し、前記捕捉体との接触位置に前記切断位置を罫書く罫書き部材と
を備えることを特徴とする切断位置の罫書き装置。
【請求項１２】
前記捕捉体に設置された状態において前記上流を臨む前記位置決め部材の端部は、最も前記上流側に位置する前記捕捉体の部分と面一をなすことを特徴とする請求項１１に記載の切断位置の罫書き装置。
【発明の詳細な説明】
【技術分野】
【０００１】
本発明は、支柱と梁とを備え、河川の上流から流れてくる流水を通すとともに土石及び流木を捕捉する捕捉体の損傷部位の切断位置を設定する非損傷部位の特定方法、切断位置の罫書き方法、非損傷部位の特定治具及び切断位置の罫書き装置に関する。
【背景技術】
【０００２】
山間部の河川においては、台風や大雨等による土砂災害を防止するため、堰堤が設置される。堰堤は、水を通過させつつも土石流に含まれる岩石や流木が通過することを抑制するものである。特に水を通過させる透過部に土石流に含まれる岩石や流木を捕捉するため、鋼管柱と鋼管梁とを立体格子状に組み合わせた捕捉体を設けた格子型鋼製堰堤が知られている（例えば、特許文献１参照。）。
捕捉体においては、柱材（支柱）の上端部と、河川の横断方向に配置した梁材（横梁）から下向きに突設させた柱頭部とをフランジで接合する。また、堰堤の非越流部には、梁端部材が埋め込まれており、梁材の両端部は、梁端部材とフランジを介して接合されている（例えば、特許文献２参照。）。
【先行技術文献】
【特許文献】
【０００３】
【特許文献１】特開平６−１０３３０号公報
【特許文献２】特開２０１１−８９３９３号公報
【発明の概要】
【発明が解決しようとする課題】
【０００４】
ところで、土石流の発生により、図１に示すように、想定外の礫径を有する大きな岩石Ｒが透過型の堰堤１の捕捉体３に衝突することがある。岩石Ｒは、捕捉体３によって捕捉されるが、捕捉体３の鋼管の支柱３１及び鋼管の梁３２には想定以上の衝撃力が加わり、捕捉体３の支柱３１及び梁３２が変形又は損傷することがある。
損傷を受けた捕捉体３は、損傷の度合いによるが、捕捉体３全体を取り替えるのではなく、鋼材の特性を活かして損傷部位のみを新たな部材と取り替えたい場合がある。新たな部材との取替え時には、新たな部材は、捕捉体３の損傷していない健全部位（非損傷部位）に連結することが望ましい。そのため、捕捉体３の損傷部位は、当該損傷部位を含めて捕捉体３を非損傷部位とともに切断する必要がる。
しかし、支柱３１又は梁３２における非損傷部位の特定は、目視によって判断することは困難であるとともに、切断すべき全ての支柱３１又は梁３２における非損傷部位に切断位置を罫書く必要がある。支柱３１又は梁３２に任意の基準を補修現場で設けて、切断すべき全ての支柱３１又は梁３２において理論上の同一位置に切断位置を罫書くことは極めて困難であった。
【０００５】
そこで、本発明は、上記課題に鑑みてなされたものであり、捕捉体において非損傷部位を容易に特定することができる非損傷部位の特定方法及び特定治具、並びに捕捉体の非損傷部位に切断位置を容易に罫書くことができる切断位置の罫書き方法及び罫書き装置を提供することを目的とする。
【課題を解決するための手段】
【０００６】
上記目的を達成するために、本発明は、支柱と梁とを備え、河川の上流から流れてくる流水を通すとともに土石及び流木を捕捉する捕捉体の非損傷部位を特定する特定方法であって、前記捕捉体の所定部位の外周面に、閉鎖状態において前記非損傷部位の外周面の外周寸法よりも大きな内周寸法を有する治具を前記所定部位を囲むように取り付け、前記治具の端部同士が接触して前記閉鎖状態を形成する前記所定部位を前記非損傷部位として特定することを特徴とする。
【０００７】
また、前記所定部位を前記支柱に設定することが好ましい。
【０００８】
また、前記捕捉体は複数の前記支柱を備え、前記非損傷部位を複数の前記支柱に特定するが好ましい。
【０００９】
さらに、上記目的を達成するために、本発明は、支柱と梁とを備え、河川の上流から流れてくる流水を通すとともに土石及び流木を捕捉する捕捉体の損傷部位の切断位置を前記捕捉体の非損傷部位に罫書く罫書き方法であって、前記捕捉体の所定の基準位置から所定の間隔を置いた位置に前記切断位置を設定し、前記捕捉体の前記基準位置に設置される部材に、前記基準位置と接触する該部材の接触部から前記間隔だけ離れた位置を特定し、前記部材を前記基準位置に設置した状態において、前記部材に特定された前記位置に相当する前記捕捉体の位置に前記切断位置を罫書くことを特徴とする。
【００１０】
また、前記部材を互いに離間させて設置することが好ましい。
【００１１】
さらに、上記目的を達成するために、本発明は、支柱と梁とを備え、河川の上流から流れてくる流水を通すとともに土石及び流木を捕捉する捕捉体の非損傷部位の特定治具であって、少なくとも一端部同士が接近及び離間自在であり、前記非損傷部位において前記捕捉体を外周面に沿って囲む場合に前記少なくとも一端部同士が接触した閉鎖状態を形成する一方で、前記捕捉体の損傷部位において前記捕捉体を外周面に沿って囲む場合に前記少なくとも一端部同士が離間した非閉鎖状態を形成する内周寸法を有することを特徴とする。
【００１２】
また、前記閉鎖状態において互いに対向する位置で立設された少なくとも２つの立設部材を備えることが好ましい。
【００１３】
また、互いに異なる側から前記捕捉体を囲む複数の包囲部材を有し、前記接近及び離間自在な端部以外の端部は、互いに相対的に旋回自在に連結されていることが好ましい。
【００１４】
また、互いに旋回自在に連結されている前記包囲部材の前記端部はそれぞれ、該包囲部材が前記捕捉体を囲んだ状態で同じ側を臨む面で連結部材により互いに連結されていることが好ましい。
【００１５】
また、互いに旋回自在に連結されている前記包囲部材の前記端部における少なくとも内周縁部側の角部は、Ｒ部を有していることが好ましい。
【００１６】
さらに、上記目的を達成するために、本発明は、支柱と梁とを備え、河川の上流から流れてくる流水を通すとともに土石及び流木を捕捉する捕捉体の損傷部位の切断位置を前記捕捉体に罫書く罫書き装置であって、前記捕捉体の所定の基準位置から前記切断位置までの距離に相当する位置に印を有し、前記基準位置に設置されて前記印の位置に相当する前記捕捉体の位置に前記切断位置を位置決めする位置決め部材と、前記印の位置で前記位置決め部材に交差して設けられて前記捕捉体に接触する長さ寸法を有し、前記捕捉体との接触位置に前記切断位置を罫書く罫書き部材とを備えることを特徴とする。
【００１７】
また、前記一の支柱及び他の前記支柱の間、又は前記一の梁及び他の前記梁の間にわたって延在する長さ寸法を有し、前記印の位置に合わせた位置で前記位置決め部材に交差して設けられて前記一の支柱及び他の前記支柱又は前記一の梁及び他の前記梁に前記切断位置を罫書く前記罫書き部材を備えることが好ましい。
【００１８】
また、前記捕捉体に設置された状態において前記上流を臨む前記位置決め部材の端部は、最も前記上流側に位置する前記捕捉体の部分と面一をなすことが好ましい。
【発明の効果】
【００１９】
本発明によれば、捕捉体において非損傷部位を容易に特定するとともに切断位置を容易に罫書くことができる。
【図面の簡単な説明】
【００２０】
【図１】損傷した捕捉体を備える透過型の堰堤を下流側から見た図である。
【図２】図１に示した捕捉体の側面図であり、（ａ）は、図１のＡ−Ａ線における側面図であり、（ｂ）は図１のＢ−Ｂ線における側面図である。
【図３】非損傷部位を特定する特定治具の構成を説明するための斜視図である。
【図４】特定治具が非損傷部位において支柱に取り付けられた状態を示す図である。
【図５】図４に示した支柱を所定の位置において切断した断面図である。
【図６】図１に示す捕捉体を部分的に抜き出し罫書き装置を設置した状態を上流側から見た図である。
【図７】図６のＣ−Ｃ方向から見た図である。
【図８】罫書き装置の構成を説明するための図である。
【図９】特定治具が損傷部位において支柱に取り付けられた状態を示す図である。
【図１０】支柱への罫書きの書き入れを説明するための図である。
【発明を実施するための形態】
【００２１】
本発明の好ましい実施の形態について、図面を参照しながら説明する。なお、以下に示す実施の形態は一つの例示であり、本発明の範囲において、種々の形態をとりうる。
【００２２】
まず、図１を用いて堰堤１の構成について説明する。堰堤１は、その底部が地盤に埋設されており、河川を横切るように河川の幅方向に沿って延在するように構築されている。堰堤１は、例えば、コンクリート又はソイルセメントによって構築されている。なお、堰堤１において、河川の上流側又は下流側に面する壁面を、複数の鋼製セグメントを連結することにより形成された鋼板壁とし、その内部にコンクリートやソイルセメントを充填してもよい。
堰堤１は、いわゆる透過型の堰堤であり、河川の上流から流れてくる流水を通す透過部２と、透過部２に設けられて流水を通すとともに土石及び流木を捕捉する捕捉体３とを備える。
【００２３】
捕捉体３は、複数の支柱３１と、支柱３１の間を延在する複数の梁３２とを有する。
支柱３１は、例えば鋼管から形成されており、堰堤１の延在方向に沿って所定の間隔をおいて透過部２の底部に立設されている。支柱３１は、図２（ａ）に示すように、上流側に立設された上流側支柱３１ａと、下流側に立設された下流側支柱３１ｂとを有する。上流側支柱３１ａ及び下流側支柱３１ｂは互いに連結されている。上流側支柱３１ａは、上流側から下流側へ向かって斜め上方に延在し、下流側支柱３１ｂは、下流側から上流側に向かって斜め上方に延在している。
【００２４】
図１に示すように、堰堤１の捕捉体３の支柱３１及び梁３２は、想定外の礫径を有する大きな岩石Ｒが衝突して一部、変形又は損傷している。変形や破損した捕捉体３の損傷部位ＤＰについては取り除く必要がある。損傷部位ＤＰと交換して損傷部位ＤＰを補完する交換部材は、支柱３１及び梁３２の形状が健全状態を保つ部位、つまり、非損傷部位において取り付ける必要がある。
【００２５】
＜捕捉体の非損傷部位における切断位置の罫書き方法＞
ここで、図３〜図１０を用いて、捕捉体３の非損傷部位に切断位置Ｃｐに罫書く方法について説明する。切断位置Ｃｐの罫書き方法には、捕捉体３の所定部位、例えば、支柱３１及び梁３２に非損傷部位を特定する方法が含まれる。
なお、以下では捕捉体３の上流側支柱３１ａにおける切断位置Ｃｐの罫書き方法について説明する。まず、非損傷部位の特定方法において使用する非損傷部位の特定治具５、及び非損傷部位における切断位置の罫書き方法において使用される罫書き装置８について説明する。
【００２６】
［特定治具］
非損傷部位の特定には、図３及び図４に示す、非損傷部位の位置を特定する特定治具５が用いられる。説明の便宜上、まず、特定治具５の構成について説明する。
図３（ａ）及び図４に示すように、特定治具５は環形状を形成して、捕捉体３の上流側支柱（所定部位）３１ａの外周面取り巻くように形成されている。特定治具５が捕捉体３の上流側支柱３１ａをその外周面に沿って囲んで環形状を形成した状態、つまり、閉鎖状態を形成することができる上流側支柱３１ａの位置が非損傷部位であり、特定治具５が環形状を形成できない上流側支柱３１ａの位置は損傷部位である。
【００２７】
特定治具５は、金属材により略半円弧状に形成されている２枚の板状の包囲部材５１，５２を有する。
包囲部材５１，５２の一端部５１ａ，５２ａ同士は、互いに相対的に旋回自在に連結されている。具体的には、包囲部材５１，５２の一端部５１ａ，５２ａ同士は、金属材により形成された平面視略矩形の連結板（連結部材）５３により、連結板５３の平面上において相対的に旋回自在に互いに連結されている。
なお、説明の便宜上、連結板５３が取り付けられていない包囲部材５１，５２の面をそれぞれ「表面５１ｂ，５２ｂ」、連結板５３が取り付けられている包囲部材５１，５２の面をそれぞれ「裏面５１ｃ，５２ｃ」とする。
【００２８】
包囲部材５１，５２は、裏面５１ｃ，５２ｃにおいて連結板５３を介して互いに連結されている。連結板５３は、包囲部材５１に対しては裏面５１ｃ側で、例えば、溶接により固定されている。また、連結板５３は、包囲部材５２に対して裏面５２ｃ側で、例えば、ピン等の軸部材Ｓにより取り付けられている。軸部材Ｓは、包囲部材５２及び連結板５３を厚さ方向に貫通している。包囲部材５２は、軸部材Ｓを中心にして包囲部材５１に対して相対的に旋回する。
連結板５３上において互いに向かい合う両包囲部材５１，５２の一端部５１ａ，５２ａ側の角部は丸みを帯びて形成されたＲ部５１ｒ，５２ｒを有する。
【００２９】
包囲部材５１，５２の他端部５１ｄ，５２ｄ同士は、各裏面５１ｃ，５２ｃ側に設けられた接触板５４を介して互いに接触するようになっている。接触板５４は、包囲部材５１に対しては裏面５１ｃ側で、例えば、溶接により固定されている。図３（ｂ）に示すように、包囲部材５２の他端部５２ｄは、その裏面５２ｃで接触板５４に対して接触するようになっており、包囲部材５２を旋回させた場合には、接触板５４から離れるようになっている。
また、包囲部材５２の他端部５２ｄには厚さ方向に貫通する孔５２ｅが形成されている。さらに、特定治具５の閉鎖状態において孔５２ｅに対応する接触板５４の位置にも、接触板５４を厚さ方向に貫通する孔５４ａが形成されている。包囲部材５２の孔５２ｅ及び接触板５４の孔５４ａを整合させて、例えば、ピン部材等を挿入することで特定治具５の閉鎖状態が維持される。
【００３０】
各包囲部材５１，５２の裏面５１ｃ，５２ｃには、当該裏面５１ｃ，５２ｃに対して垂直に立設した２つの立設板（立設部材）５５が設けられている。立設板５５は、金属材により略矩形に形成されていて、裏面５１ｃ，５２ｃに対して、例えば、溶接により取り付けられている。
図４に示すように、捕捉体３の上流側支柱３１ａに対してその外周面を囲むようにして特定治具５を取り付けた場合、上流側支柱３１ａの外周面を臨む立設板５５の縁部５５ａが上流側支柱３１ａの外周面に当接するようになっている。
【００３１】
図３（ａ）に示すように、立設板５５は、各包囲部材５１，５２の幅方向ｗに沿って、つまり、各包囲部材５１，５２の内縁部と外縁部との間にわたって延びている。立設板５５は、各包囲部材５１，５２の延在方向に所定の間隔を置いて立設されている。包囲部材５１に設けられた２つの各立設板５５，５５は、特定治具５の閉鎖状態において、包囲部材５２に設けられた２つの各立設板５５，５５と対向するように配置されている。つまり、特定治具５の閉鎖状態において、包囲部材５１における一の立設板５５の延在方向と、包囲部材５２における一の立設板５５の延在方向とが略一致するように立設板５５が配置されていることが好ましい。
なお、立設板５５の設置個数については、２つに限定されず、１つ又は３つ以上であってもよい。
各包囲部材５１，５２は、それぞれの他端部５１ｄ，５２ｄ同士が接触板５４を介して接触して閉鎖状態を形成した場合、表面５１ｂ，５２ｂ及び裏面５１ｃ，５２ｃが同一平面上にあるようになっている。
【００３２】
図５に示すように、各包囲部材５１，５２が閉鎖状態を形成した場合の特定治具５の内周寸法Ｉｄは、捕捉体３の上流側支柱３１ａの非損傷部位における外周寸法Ｏｄよりも僅かに大きく設定されている（Ｉｄ＞Ｏｄ）。換言すると、特定治具５の内周寸法Ｉｄは、特定治具５が上流側支柱３１ａの外周面に沿って囲んで閉鎖状態を形成した場合、各包囲部材５１，５２の内周縁部と、上流側支柱３１ａの非損傷部位にける外周面との間に、全周に亘って隙間Ｓｐが形成されるような寸法である。
【００３３】
特定治具５によって切断する必要がある全ての上流側支柱３１ａに特定された非損傷部位に、切断位置Ｃｐを罫書く必要がある。切断する必要がある全ての上流側支柱３１ａにおける切断位置Ｃｐは、例えば、捕捉体３の設置状態において可能な限り横一列になることが好ましい。各上流側支柱３１ａにおける切断位置Ｃｐが横一列になるように上流側支柱３１ａに切断位置Ｃｐを罫書くために、罫書き装置８が使用される。
図６に示すように、罫書き装置８は、切断位置Ｃｐを上下に挟んで位置する梁３２ｕ，３２ｄに架け渡されて切断位置Ｃｐを位置決めする位置決め部材８１と、当該位置決め部材８１と協働して切断位置Ｃｐを表す罫書きＫを各上流側支柱３１ａに付ける罫書き部材８６とを備える。
【００３４】
図７に示すように、位置決め部材８１は、切断位置Ｃｐを上下方向において挟んで位置する上側の梁３２ｕと下側の梁３２ｄとの間に架け渡される。位置決め部材８１は、例えば、鋼板等の金属製の板材により形成されている。
図８（ａ）に示すように、位置決め部材８１は、梁３２ｕと係合する上側接触部８２と、梁３２ｄと係合する下側接触部８３とを有する。位置決め部材８１は、長さを二分する中心において線対称に形成されている。
上側接触部８２は、上流側から梁３２ｕに接触する正面部８２ａと、当該正面部８２ａに対して略直角をなして下流側に延び、梁３２ｕの下面に対向する下面部８２ｂとを有する。正面部８２ａと下面部８２ｂとの間には梁３２ｕを部分的に収容する収容部が形成されている。
正面部８２ａは、最も上流側にある梁３２ｕの外周面上の点と、最も上流側にある上流側支柱３１ａの外周面上の点とを結んだ間隔ｄに略一致する幅ｗ２を有している。
【００３５】
下側接触部８３は、上流側から梁３２ｄに接触する正面部８３ａと、当該正面部８３ａに対して略直角をなして下流側に延び、下側の梁３２ｄの上面に接触する上面部８３ｂとを有する。正面部８３ａと上面部８３ｂとの間には梁３２ｄを部分的に収容する収容部が形成されている。
正面部８３ａは、最も上流側にある梁３２ｄの外周面上の点と、最も上流側にある上流側支柱３１ａの外周面上の点とを結んだ間隔ｄに略一致する幅ｗ３を有している。
【００３６】
位置決め部材８１の設置状態において、上流側を臨む位置決め部材８１の面又は縁部は、上側接触部８２から下側接触部８３にわたって上流側支柱３１ａの外周面と面一をなしている。つまり、位置決め部材８１は、上流側支柱３１ａの外周面に対して上流側には張り出していない。
位置決め部材８１は、上側接触部８２と下側接触部８３との間に印Ｍを有する。印Ｍは、上流側支柱３１ａに切断位置Ｃｐを設定する場合に捕捉体３の基準位置を有する又は基準部位となる梁３２ｄから切断位置Ｃｐまでの間隔Ｄに相当する位置に設けられている。具体的に印Ｍは、梁３２ｄと接触する上面部８３ｂの接触位置から間隔Ｄに相当する距離の位置に形成されている。
なお、印Ｍについては、後述するが、まず補修現場において切断位置Ｃｐが決められた梁３２ｄから当該切断位置Ｃｐまでの距離を測定し、測定した距離（間隔Ｄ）に基づいて位置決め部材８１に特定する（設ける）。
【００３７】
図６に示すように、罫書き部材８６は、上側の梁３２ｕと下側の梁３２ｄとの間に架け渡された位置決め部材８１に対して直交するように設置される直線状の部材である。罫書き部材８６は、位置決め部材８１の印Ｍの位置で位置決め部材８１に設置されて、上流側支柱３１ａに切断位置Ｃｐを表す罫書きＫを付けるために用いられる。罫書き部材８６は、例えば、公知の直線定規等であってよい。
罫書き部材８６は、少なくとも２本の上流側支柱３１ａ，３１ａ間にわたって架け渡される長さ寸法を有している。
【００３８】
次に、捕捉体３の上流側支柱３１ａに非損傷部位を特定する方法について説明する。
まず、目視により明確に認識可能な損傷部位ＤＰ以外の上流側支柱３１ａの部分に、図４に示すように、特定治具５を取り付ける。
特定治具５を取り付ける位置は、切断を予定する上流側支柱３１ａにおける切断位置Ｃｐであり、当該切断位置Ｃｐは、図４に示すように下側の梁３２ｄを当該梁３２ｄから任意の間隔Ｄを置いて上流側支柱３１ａに仮に設定する。
【００３９】
包囲部材５１，５２の他端部５１ｄ，５２ｄ同士が離間して非閉鎖状態にある特定治具５によって、仮の切断位置Ｃｐで上流側支柱３１ａを包囲部材５１，５２の間に挟み、包囲部材５１，５２の他端部５１ｄ，５２ｄ同士を接近させる。図４及び図５に示すように、包囲部材５１，５２の他端部５１ｄ，５２ｄ同士が接触すればその位置、つまり、梁３２ｄから任意の間隔Ｄを置いた位置が上流側支柱３１ａにおける非損傷部位であると特定することができる。
なお、閉鎖状態にある特定治具５を、上流側支柱３１ａの延在方向に沿って上下に移動させて、ある程度の範囲に亘って非損傷部位が確保されていることを確認することが好ましい。
【００４０】
図９においては、説明の便宜上、誇張して上流側支柱３１ａを変形（凹み及び膨らみ）させて記載したが、仮に、目視できない程度の僅かな変形が上流側支柱３１ａに生じていた場合、特定治具５は閉鎖状態を形成することができない。具体的には、変形している箇所に特定治具５を設置しようとした場合、包囲部材５１，５２の他端部５１ｄ，５２ｄ同士が接触する前に包囲部材５１，５２の内周縁部の少なくとも一部が上流側支柱３１ａの変形箇所と接触することになり、特定治具５は閉鎖状態には到らない。
包囲部材５１，５２の他端部５１ｄ、５２ｄ同士を接近させても接触しない場合、つまり、特定治具５が閉鎖状態を形成できない場合（非閉鎖状態の場合）には、切断位置Ｃｐとして仮に設定された上流側支柱３１ａの位置には変形が生じていることが分かり、非損傷部位としては特定できない。
切断位置Ｃｐとして仮に設定された上流側支柱３１ａの位置で特定治具５が閉鎖状態を形成しない場合、切断位置Ｃｐを新たに設定し直す必要がある。変更後の切断位置Ｃｐにおいて特定治具５を上流側支柱３１ａの延在方向に沿って移動させ、包囲部材５１，５２の他端部５１ｄ，５２ｄ同士が接触するか否かを再度判断する。
【００４１】
一の上流側支柱３１ａにおいて非損傷部位を特定した後、隣接する他の上流側支柱３１ａにおいても上記切断位置Ｃｐと同じ位置に非損傷部位が確保されているか否かを特定治具５を用いて確認する。切断を予定する全ての上流側支柱３１ａの切断位置Ｃｐに非損傷部位を確保することができた場合、当該切断位置Ｃｐを正式な切断位置Ｃｐと決定する。
【００４２】
次に、切断される全ての上流側支柱３１ａにおいて横一列に切断位置Ｃｐを罫書く方法について説明する。
まず、下側の梁３２ｄから上述の切断位置Ｃｐまでの距離（間隔Ｄ）を正確に測定する。なお、梁３２ｄから切断位置Ｃｐまでの距離の測定については、非損傷部位を特定する際に仮に決めた、梁３２ｄから切断位置Ｃｐまでの間隔Ｄを用いて測定に代えてもよい。いずれにしても、梁３２ｄから切断位置Ｃｐまでの距離は測定されている。
特定治具５により特定された上流側支柱３１ａの非損傷部位に罫書きＫにより切断位置Ｃｐを罫書くに当たり、間隔Ｄに相当する位置を位置決め部材８１に印Ｍとして特定する。印Ｍは、下側の梁３２ｄと接触する位置決め部材８１の下側接触部８３の上面部８３ｂの縁部から垂直に間隔Ｄと同じ距離の位置に設けられる。
このような印Ｍを備えた位置決め部材８１を、例えば、２つ用意して、梁３２ｕ，３２ｄ間に架け渡す。
【００４３】
図６に示すように、２つの位置決め部材８１を梁３２ｕ，３２ｄ間に架け渡して立てかけた状態において、各位置決め部材８１の印Ｍの位置で当該印Ｍを繋ぐようにして罫書き部材８６を位置決め部材８１に交差させて当該位置決め部材８１に設置する。罫書き部材８６は、少なくとも互いに隣り合う上流側支柱３１ａの間隔よりも大きな長さ寸法を有しているので、上流側支柱３１ａに到達している罫書き部材８６の端部で上流側支柱３１ａの外周面に罫書きＫを付けることができる。
【００４４】
図１０（ａ）に示すように、罫書き装置８が取り外された後の上流側支柱３１ａには、切断位置Ｃｐを表す罫書きＫが残される。罫書きＫが付けられた上流側支柱３１ａの位置に、再度、特定治具５を閉鎖状態になるように取り付ける。特定治具５の包囲部材５１，５２の表面５１ｂ，５２ｂが罫書きＫに整合するように特定治具５を取り付け、所定の筆記具を表面５１ｂ，５２ｂ上を沿わせるようにして上流側支柱３１ａの全周に亘って罫書きＫを付ける。これにより、上流側支柱３１ａの全周面に切断位置Ｃｐが罫書かれる。
【００４５】
以上のような捕捉体の非損傷部位における切断位置Ｃｐの罫書き方法によれば、特定治具５により、捕捉体３を切断する切断位置Ｃｐが設定される非損傷部位を正確にかつ容易に特定することができる。特定治具５の内周寸法は、捕捉体３の上流側支柱３１ａの設計上の外周寸法に基づいて設計されているので、上流側支柱３１ａに目に見えない程度の変形が生じている位置では閉鎖状態を形成することができない。つまり、特定治具５は、変形等がない上流側支柱３１ａの位置でしか閉鎖状態を形成しないので、上流側支柱３１ａ上に容易に非損傷部位を特定することができる。
これにより、損傷部位ＤＰと交換される交換部材は、変形等が存在していない捕捉体３の既設部分の非損傷部位に対して正確に固定することができる。
【００４６】
特定治具５は、上流側支柱３１ａにおける非損傷部位を特定するだけではなく、上流側支柱３１ａの全外周面を囲むので、切断位置Ｃｐを示す罫書きＫを上流側支柱３１ａの全周に容易に罫書くことができる。
【００４７】
特定治具５の裏面５１ｃには複数の立設板５５が互いに対向する位置関係において設けられている。閉鎖状態において特定治具５が上流側支柱３１ａに取り付けられた状態で若干傾いた場合には立設板５５が上流側支柱３１ａの外周面に当接する。これにより、特定治具５が上流側支柱３１ａに対して過度に傾いて取り付けられることを防ぐことができる。
【００４８】
特定治具５においては、互いに旋回自在に取り付けられている特定治具５の包囲部材５１，５２の一端部５１ａ，５２ａ同士の角部にＲ部５１ｒ，５２ｒが形成されているので、包囲部材５１，５２の開閉旋回時に角部が上流側支柱３１ａの外周面に接触して上流側支柱３１ａを傷つけることを防ぐことができる。
また、閉鎖状態において包囲部材５１，５２は、一端部５１ａ，５２ａ側の裏面５１ｃ，５２ｃで連結板５３により連結され、他端部５１ｄ，５２ｄが接触板５４を介して互いに接触しているので、互いの表面５１ｂ，５２ｂ及び裏面５１ｃ，５２ｃは同一の平面上に位置するようになり、上流側支柱３１ａに切断位置Ｃｐを示す罫書きＫを正確に罫書くことができる。
【００４９】
上流側支柱３１ａは円形の鋼管であるため、切断位置Ｃｐを罫書く際に必要となる基準を設けることが困難であるものの、位置決め部材８１を用いることにより切断される全ての上流側支柱３１ａ上に共通の、つまり、基準位置となる下側の梁３２ｄから同じ距離（間隔Ｄ）にある切断位置Ｃｐを横一列に容易に罫書くことができる。
２つの位置決め部材８１を、例えば、切断する２本の上流側支柱３１ａの間に互いに所定の間隔をあけて設けることで、より正確な切断位置Ｃｐを表す罫書きＫを当該上流側支柱３１ａ上に罫書くことができる。
なお、２つの位置決め部材８１は、互いに平行をなすように予め所定の連結部材（図示せず。）により連結されていてもよい。これにより、位置決め部材８１の設置作業が容易になる。
【００５０】
切断位置Ｃｐに相当する印Ｍの位置で位置決め部材８１に罫書き部材８６を交差させて設置することで、少なくとも２つの隣り合う上流側支柱３１ａ上に簡単に切断位置Ｃｐを表す罫書きＫを罫書くことができる。
また、位置決め部材８１の設置位置は、１本の上流側支柱３１ａを挟むようにして設置してもよい。
【００５１】
＜その他＞
なお、本発明は、上記の実施の形態に限られるものではなく、本発明の範囲を超えない範囲で適宜変更が可能である。例えば、罫書き装置８の位置決め部材８１は、長手方向に伸縮自在に構成されていてもよい。さらに、位置決め部材８１には印Ｍとして予め目盛りが形成されていてもよい。
この場合、下側の梁３２ｄから切断位置Ｃｐに相当する位置にある目盛りを読むことにより、位置決め部材８１において間隔Ｄに相当する位置を簡単に特定することができる。
また、並んで設置された位置決め部材８１の同じ目盛り位置で罫書き部材８６を合わせることにより、隣り合う上流側支柱３１ａに切断位置Ｃｐを表す罫書きＫを付けることができる。
【００５２】
また、位置決め部材８１と交差する罫書き部材８６の位置にスリットが形成されていてもよい。これにより、位置決め部材８１がその上流側で上流側支柱３１ａの外周面より突き出ている場合であっても、罫書き部材をそのスリットの位置で位置決め部材８１に設置させることで、罫書き部材８６は、上流側支柱３１ａに接触するようになり簡単に罫書きＫを切断位置Ｃｐに罫書くことができる。
なお、罫書き部材８６としては直線定規だけに限られず、水糸等を用いることもできる。
【００５３】
なお、下流側支柱３１ｂにおける切断位置は、当該下流側支柱３１ｂに設けられているフランジＦ（図２参照。）を基準にして決定することができ、梁３２における切断位置は、当該梁３２に設けられているフランジＦ（図６参照。）を基準にして決定することができる。
【符号の説明】
【００５４】
１  堰堤
３  捕捉体
３１  支柱（所定部位）
３１ａ  上流側支柱
３１ｂ  下流側支柱
３２  梁（所定部位）
３２ｕ  上側の梁
３２ｄ  下側の梁（基準位置）
５  特定治具（治具）
５１，５２  包囲部材
５１ａ，５２ａ  一端部
５１ｄ，５２ｄ  他端部
５１ｒ，５２ｒ  Ｒ部
５３  連結板（連結部材）
５４  接触板
５５  立設板（立設部材）
８  罫書き装置
８１  位置決め部材
８２  上側接触部
８３  下側接触部
８６  罫書き部材
Ｃｐ  切断位置
Ｋ  罫書き
【図１】
2019019607.tif 000003
【図２】
2019019607.tif 000004
【図３】
2019019607.tif 000005
【図４】
2019019607.tif 000006
【図５】
2019019607.tif 000007
【図６】
2019019607.tif 000008
【図７】
2019019607.tif 000009
【図８】
2019019607.tif 000010
【図９】
2019019607.tif 000011
【図１０】
2019019607.tif 000012